(57)【要約】【課題】地球環境負荷の増大を抑えることができ、しかも通電性能をも維持することができるガス絶縁電気機器を提供する。【解決手段】遮断器２、断路器４，５を密閉容器内にそれぞれ収納したガス絶縁開閉装置であるガス絶縁電気機器において、遮断器２を真空密封した真空遮断器２２として、ＣＦ3Ｉガス又はＣＦ3Ｉ含有ガスによる絶縁ガスを封入した密閉容器２１内に配置し、電極開閉時に真空遮断器２１の遮断電流よりも小さい電流遮断アークが生起する断路器４，５の密閉容器４０，５２内にＣＦ3Ｉガス又はＣＦ3Ｉ含有ガスによる絶縁ガスを封入し、前記断路器の密閉容器４０，５２内に、前記アークによって前記絶縁ガスから分解した沃素ガスを吸着する吸着剤１０１を有する吸着装置１００を設けたことを特徴とする。【選択図】図１
2007288820.tif 000002
【特許請求の範囲】
【請求項１】
密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスからの低分解ガスを吸着する吸着剤を備えた吸着装置とを備えたことを特徴とするガス絶縁電気機器。
【請求項２】
密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスから分解発生する沃素ガスを吸着する吸着剤を備えた吸着装置とを備えたことを特徴とするガス絶縁電気機器。
【請求項３】
密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスから分解発生する沃素ガスと結合した沃化水素ガスを吸着する吸着剤を備えた吸着装置とを備えたことを特徴とするガス絶縁電気機器。
【請求項４】
前記密閉容器内に、前記絶縁ガスからの沃素ガスと結合した沃化水素ガスと前記絶縁ガスと微量水分により発生するフッ化水素ガスを吸着する吸着剤を備えた吸着装置を設けたことを特徴とする請求項２又は３に記載のガス絶縁電気機器。
【請求項５】
前記吸着装置は、吸着剤と、この吸着剤を収納する袋体と、この袋体を保持し、前記密閉容器内に設けられる容器とで構成したことを特徴とする請求項１乃至５のいずれかに記載のガス絶縁電気機器。
【請求項６】
遮断器、断路器、接地装置を密閉容器内にそれぞれ収納したガス絶縁開閉装置であるガス絶縁電気機器において、前記遮断器を真空遮断器としてＣＦ3Ｉガス又はＣＦ3Ｉ含有ガスによる絶縁ガスを封入した前記密閉容器内に配置し、前記断路器、接地装置をＣＦ3Ｉガス又はＣＦ3Ｉ含有ガスによる絶縁ガスを封入した前記密閉容器内にそれぞれ配置し、前記断路器、接地装置の各密閉容器内に、沃素ガスを吸着する吸着装置を設けたことを特徴とするガス絶縁電気機器。
【請求項７】
遮断器、断路器、接地装置を密閉容器内にそれぞれ収納したガス絶縁開閉装置であるガス絶縁電気機器において、前記遮断器を真空遮断器としてＣＦ3Ｉガス又はＣＦ3Ｉ含有ガスによる絶縁ガスを封入した前記密閉容器内に配置し、前記断路器、接地装置をＣＦ3Ｉガス又はＣＦ3Ｉ含有ガスによる絶縁ガスを封入した前記密閉容器内にそれぞれ配置し、前記断路器、接地装置の各密閉容器内に、沃素と結合した沃化水素ガスを吸着する吸着剤を備えた吸着装置を設けたことを特徴とするガス絶縁電気機器。
【請求項８】
前記断路器、接地装置の各密閉容器内に、沃素と結合したフッ化水素ガスを吸着する吸着剤を有する吸着装置を設けたことを特徴とする請求項６または７に記載のガス絶縁電気機器。
【請求項９】
遮断器、断路器を密閉容器内にそれぞれ収納したガス絶縁開閉装置であるガス絶縁電気機器において、遮断器を真空遮断器として、ＣＦ3Ｉガス又はＣＦ3Ｉ含有ガスによる絶縁ガスを封入した前記密閉容器内に配置し、電極開閉時に前記真空遮断器の遮断電流よりも小さい電流遮断アークが生起する断路器の密閉容器内にＣＦ3Ｉガス又はＣＦ3Ｉ含有ガスによる絶縁ガスを封入し、前記断路器の密閉容器内に、前記アークによって前記絶縁ガスから分解した沃素ガスを吸着する吸着剤を設けたことを特徴とするガス絶縁電気機器。
【発明の詳細な説明】
【技術分野】
【０００１】
本発明は、変電所や開閉所に使用されている、電気絶縁ガスで絶縁したガス絶縁電気機器に係わり、特に地球温暖化への影響を考慮した温暖化抑制に好適なガス絶縁開閉装置に関するものである。
【背景技術】
【０００２】
変電所や開閉所におけるガス絶縁開閉装置は、その密閉容器内に封入する絶縁ガスとして、ＳＦ6ガスが使用されていた。この絶縁ガスは、化学的に安定であり、毒性が極めて低く、しかも電気絶縁性能とアーク消弧性能が優れたものである。
【０００３】
しかしながら、ＳＦ6ガスには、オゾン層の破壊や毒性などに関する問題は無く優れたガスであるが、唯一地球温暖化係数がＣ０2の23900倍と大きいとの欠点が環境上の問題であり、環境上の問題から、近年では、これに代わる絶縁ガスとして、ヨウ化トリフルオロメタン（ＣＦ3Ｉ）を含むガスが用いられるようになってきている（例えば、特許文献１参照。）。
【０００４】
【特許文献１】特開２０００−１６６０３３号公報
【発明の開示】
【発明が解決しようとする課題】
【０００５】
上述したＣＦ3Ｉは、室温では気体であり、ＳＦ6よりも絶縁耐力が高く、地球温暖化係数が非常に小さいので、このＣＦ3Ｉガス、又はＣＦ3Ｉと混合ガスとのガス（以下ＣＦ3Ｉ含有ガス）を、絶縁ガスとしてガス絶縁電気機器に用いれば、電気絶縁性が優れ、かつ、地球温暖化への影響を抑制することができるガス絶縁電気機器を提供することができる。
【０００６】
上記のガスは、上述した利点を有する反面、次のような不具合があることが判明した。即ち。開閉器を有する密閉容器中に上記のガスを封入した場合、開閉器における開閉動作時に生じるアークの光と熱によって、ＣＦ3Ｉの分子中の沃素が分解し、単体の沃素ガスが密閉容器中に発生する。
【０００７】
この沃素ガスが、開閉器を有する密閉容器内にあると、密閉容器の内面及び密閉容器内の可動接点と固定接点とに付着する。この沃素は、塩素、臭素に似ているが、これらと類似の化学作用を有しているので、上述したように、特に、密閉容器内の可動接点と固定接点とに付着すると、可動接点と固定接点とが腐食し、通電性能を低下させるという憾みがある。
【０００８】
本発明は、上述の事柄に基づいてなされたもので、地球環境負荷の増大を抑えることができ、しかも通電性能をも維持することができるガス絶縁電気機器を提供することを目的とする。
【課題を解決するための手段】
【０００９】
上記の目的を達成するために、第１の発明は、密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスからの低分解ガスを吸着する吸着剤を備えた吸着装置とを備えたことを特徴とする。
【００１０】
また、第２の発明は、密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスから分解発生する沃素ガスを吸着する吸着剤を備えた吸着装置とを備えたことを特徴とする。
【００１１】
更に、第３の発明は、密閉容器内に開閉器を備えるガス絶縁電気機器において、ＣＦ3Ｉガス又はＣＦ3Ｉ含有ガスによる絶縁ガスを封入した前記密閉容器と、前記密閉容器内に設けられ、前記絶縁ガスから分解発生する沃素ガスと結合した沃化水素ガスを吸着する吸着剤を備えた吸着装置とを備えたことを特徴とする。
【００１２】
更に、第４の発明は、第２又は第３の発明において、前記密閉容器内に、前記絶縁ガスからの沃素ガスと結合した沃化水素ガスと前記絶縁ガスと微量水分により発生するフッ化水素ガスを吸着する吸着剤を備えた吸着装置を設けたことを特徴とする。
【００１３】
また、第５の発明は、第１乃至第４の発明のいずれかにおいて、前記吸着装置は、吸着剤と、この吸着剤を収納する袋体と、この袋体を保持し、前記密閉容器内に設けられる容器とで構成したことを特徴とする。
【００１４】
更に、第６の発明は、遮断器、断路器、接地装置を密閉容器内にそれぞれ収納したガス絶縁開閉装置であるガス絶縁電気機器において、前記遮断器を真空遮断器としてＣＦ3Ｉガス又はＣＦ3Ｉ含有ガスによる絶縁ガスを封入した前記密閉容器内に配置し、前記断路器、接地装置をＣＦ3Ｉガス又はＣＦ3Ｉ含有ガスによる絶縁ガスを封入した前記密閉容器内にそれぞれ配置し、前記断路器、接地装置の各密閉容器内に、沃素ガスを吸着する吸着装置を設けたことを特徴とする。
【００１５】
また、第７の発明は、遮断器、断路器、接地装置を密閉容器内にそれぞれ収納したガス絶縁開閉装置であるガス絶縁電気機器において、前記遮断器を真空遮断器としてＣＦ3Ｉガス又はＣＦ3Ｉ含有ガスによる絶縁ガスを封入した前記密閉容器内に配置し、前記断路器、接地装置をＣＦ3Ｉガス又はＣＦ3Ｉ含有ガスによる絶縁ガスを封入した前記密閉容器内にそれぞれ配置し、前記断路器、接地装置の各密閉容器内に、沃素と結合した沃化水素ガスを吸着する吸着剤を備えた吸着装置を設けたことを特徴とする。
【００１６】
更に、第８の発明は、第６又は第７の発明において、前記断路器、接地装置の各密閉容器内に、沃素と結合したフッ化水素ガスを吸着する吸着剤を有する吸着装置を設けたことを特徴とする。
【００１７】
また、第９の発明は、遮断器、断路器を密閉容器内にそれぞれ収納したガス絶縁開閉装置であるガス絶縁電気機器において、遮断器を真空遮断器として、ＣＦ3Ｉガス又はＣＦ3Ｉ含有ガスによる絶縁ガスを封入した前記密閉容器内に配置し、電極開閉時に前記真空遮断器の遮断電流よりも小さい電流遮断アークが生起する断路器の密閉容器内にＣＦ3Ｉガス又はＣＦ3Ｉ含有ガスによる絶縁ガスを封入し、前記断路器の密閉容器内に、前記アークによって前記絶縁ガスから分解した沃素ガスを吸着する吸着剤を設けたことを特徴とする。
【発明の効果】
【００１８】
本発明のガス絶縁電気機器によれば、絶縁ガスとしてのＣＦ3Ｉガス又はＣＦ3Ｉ含有ガスの使用により、地球温暖化係数が小さく、アーク消弧性能及び電気絶縁性能が優れ、ＣＦ3Ｉガス又はＣＦ3Ｉ含有ガスから分解発生する沃素ガスの吸着により、通電性能も良好なガス絶縁電気機器を提供することができる。
【発明を実施するための最良の形態】
【００１９】
以下、本発明のガス絶縁電気機器の実施の形態を図面を用いて説明する。  
図１は、本発明のガス絶縁電気機器であるキュービクル形のガス絶縁開閉装置の一実施の形態を示す縦断側面図である。この図１において、ガス絶縁開閉装置ベース１上には、母線１と、遮断器２と、線路側ケーブル３と、母線側断路器４と、線路側断路器５と、遮断器操作器６を収納した遮断器操作箱７と、ガス監視箱８とが備えられている。
【００２０】
ガス絶縁開閉装置ベース１の前部側には、ガス監視箱８が固定されている。このガス監視箱８上には、遮断器操作器６を収納した遮断器操作箱７が固定されている。この遮断器操作箱７の背面側のガス絶縁開閉装置ベース１上には、架台２０によって遮断器２が設けられている。この遮断器２の一方の側（図１において上側）には、母線側断路器４を介して、母線１が接続している。遮断器２の他方の側（図１において下側）には、線路側断路器５を介して、線路側ケーブル３が接続している。
【００２１】
前述した母線１は、母線容器１０と、この母線容器１０内において図１の紙面上直角方向に配置した三相の母線導体１１と、これらの母線導体１１から図１の紙面上左方向にそれぞれ分岐した分岐母線１２とを備えている。この母線容器１０は、絶縁スペーサ１３を介して母線側断路器４の母線側断路器容器４０に固定されている。
【００２２】
母線側断路器４の母線側断路器容器４０は、気密を保つための絶縁スペーサ４１を介して遮断器２の遮断器容器２１に固定されている。母線側断路器容器４０内には、前記分岐母線１２と接続する固定電極４２と、この固定電極４２に接離する可動電極４３とを備えている。固定電極４２及び可動電極４３は、母線側断路器容器４０内に図１の紙面上直角方向に３つ並設されている。
【００２３】
前述した遮断器２は、架台２０上に固定した遮断器容器２１と、この遮断器容器２１内に上下方向で、図１の紙面上直角方向に３つ並設した真空遮断器２２とを備えている。この真空遮断器２２は、内部を真空状態に維持した真空遮断器容器２３と、この真空遮断器容器２３に設けた固定電極２４と、この固定電極２４に接離する可動電極２５とを備えている。真空遮断器容器２３内の固定電極２４には、母線側断路器４の可動電極４３側が接続している。真空遮断器容器２３内の可動電極２５は、線路側断路器５に接続している。この真空遮断器２２は、遮断器操作箱７に収納した遮断器操作器６によって開閉操作される。
【００２４】
線路側断路器５は、絶縁スペーサ５０を介して遮断器容器２１に連結されるとともに、架台５１上に固定した線路側断路器容器５２と、真空遮断器容器２３内の可動電極２５に接続する可動電極５３と、この可動電極５３が接離する固定電極５４とを備えている。固定電極５４及び可動電極５３は、線路側断路器容器５２内に図１の紙面上直角方向に３つ並設されている。各固定電極５４は、線路側断路器容器５２と線路側ケーブル３との間に設けた絶縁スペーサ５５を介して、線路側ケーブル３に接続している。線路側断路器容器５２内には、接地装置５６が設けられている。
【００２５】
線路側ケーブル３は、線路側断路器５の固定電極５４に接続したケーブルヘッド３０に接続し、下方に引き出されている。このケーブル３の外周には、計測用変流器３１が設けられている。
【００２６】
前述した母線容器１０、遮断器容器２１、母線側断路器容器４０及び線路側断路器容器５２は、その内部が密閉された区画空間を形成し、これらの区画空間内には、絶縁ガスとしてＣＦ3Ｉガス又はＣＦ3Ｉ含有ガスが封入されている。このＣＦ3Ｉガス又はＣＦ3Ｉ含有ガスは、電気絶縁性が優れ、かつ、地球温暖化を抑制する機能を有している。また、混合ガスとしては、ＣＦ3Ｉの液化を抑えるために、窒素ガス、炭酸ガス等が混合される。
【００２７】
上述した母線容器１０、遮断器容器２１、母線側断路器容器４０及び線路側断路器容器５２の内、特に、母線側断路器容器４０及び線路側断路器容器５２内には、それぞれ固定電極４２と可動電極４３とからなる開閉部、可動電極５３と固定電極５４とからなる開閉部が設けられ、また、線路側断路器容器５２内には、接地装置５６が設けられている。これらの開閉部は、各密閉容器内のＣＦ3Ｉガスと混合ガスとの雰囲気中において、電極の接離時にアークを発生する。このアークは、ＣＦ3Ｉ含有ガスから、単体の沃素の分解ガスを密閉容器中に発生するが、この単体の沃素の分解ガスを吸着するために、母線側断路器容器４０及び線路側断路器容器５２には、吸着装置１００がそれぞれ設けられている。
【００２８】
この例では、母線側断路器容器４０内に設けられる吸着装置１００は、その設置空間の関係上、母線側断路器容器４０の蓋体４４の内面に固定されている。また、線路側断路器容器５２内に設けられる吸着装置１００は、その設置空間の関係上、線路側断路器容器５２の底面上に載置されている。
【００２９】
上述した吸着装置１００は、例えば、図２及び図３に示すように、例えば活性炭等の吸着剤１０１と、この吸着剤１０１を収納した通気性の袋体１０２と、この袋体１０２を保持するベース１０３とこのベース１０３上に溶接等で固定した円筒体１０４とからなる容器で構成されている。吸着剤１０１を収納した通気性の袋体１０２は、ベース１０３とこのベース１０３上に溶接等で固定した円筒体１０４とで形成される空間内に収められている。袋体１０２内の吸着剤１０１は、袋体１０２及び円筒体１０４に設けた通気孔１０５を介して、各密閉容器内に通じている。
【００３０】
なお、上述した吸着装置１００は、蓋体４４の内面に固定するためのボルト孔１０６をベース１０３に設けたが、密閉容器内に載置する場合には、このボルト孔１０６を省略することができる。
【００３１】
次に、上述した本発明のガス絶縁電気機器であるキュービクル形のガス絶縁開閉装置の一実施の形態の動作を説明する。  
上述したガス絶縁開閉装置は、線路側ケーブル３側に過電流が発生した場合、遮断器２内の真空遮断器２２を遮断し、過電流が母線１に伝わるのを防止するとともに、ガス絶縁開閉装置の保守点検時に、遮断器２内の真空遮断器２２を遮断し、この遮断器２とは別個に設けた母線側断路器４、線路側断路器５を開放し、また接地装置５６を接地させることにより、電源側の残留電荷、誘導電流を接地に流し、電源側からの再印加を防止して、作業者の安全を図っている。
【００３２】
上述したガス絶縁開閉装置の保守点検時には、母線側断路器４の固定電極４２と可動電極４３とが、また、線路側断路器５の固定電極５４と可動電極５３が、更に、接地装置５６が、それぞれ接離動作し、各密閉容器４０、５２内のＣＦ3Ｉ含有ガスの雰囲気中でアークを発生する。
【００３３】
このアーク発生に対して、ＣＦ3Ｉ含有ガスは、アーク消弧性能及び電気絶縁性能を発揮する。一方、ＣＦ3Ｉ含有ガスは、前記アークのエネルギにより、ＣＦ3Ｉ含有ガスにおけるＣＦ3Ｉの分子の沃素の分解ガスを、ＣＦ3Ｉから解離させる。
【００３４】
この解離された沃素ガスは、吸着装置１００の吸着剤１０１に吸着される。その結果、各密閉容器４０、５２内のＣＦ3Ｉ含有ガス雰囲気を純粋な状態に維持することができるので、母線側断路器４、線路側断路器５内のアーク消弧性能及び電気絶縁性能を維持することができる。
【００３５】
また、沃素ガスの母線側断路器４の固定電極４２と可動電極４３、及び線路側断路器５の固定電極５４と可動電極５３への付着を抑えることができるので、通電性能を低下させることなく、維持させることができる。更には、沃素分解ガスの各密閉容器４０、５２の内面への付着も抑えることができるので、各密閉容器４０、５２の内面の腐食も抑えることができるので、機器の長寿命化が可能である。
【００３６】
上述したように、本発明の一実施の形態によれば、絶縁ガスとしてのＣＦ3Ｉガス又はＣＦ3Ｉ含有ガスの使用により、地球温暖化係数が小さく、アーク消弧性能及び電気絶縁性能が優れ、ＣＦ3Ｉガス又はＣＦ3Ｉ含有ガスからの沃素分解ガスの吸着により、通電性能も良好なガス絶縁開閉装置を提供することができる。また、従来のＳＦ6 の絶縁ガスを使用した場合と同等もしくはそれ以下の大きさのガス絶縁開閉装置を提供することができる。
【００３７】
図４は、本発明のガス絶縁電気機器であるキュービクル形のガス絶縁開閉装置の他の実施の形態を示す縦断側面図である。この図４において、図１乃至図３と同符号のものは、同一部分であるので、その詳細な説明は省略する。  
この実施の形態は、密閉容器内に付着した水分をも合わせて吸着するようにしたもので、遮断器２の遮断器容器２１に、シリカゲル、ゼオライト等の吸湿剤を有する吸湿装置２００を設け、母線側断路器容器４０内及び線路側断路器容器５２内に、シリカゲル、ゼオライト等の吸湿剤と、活性炭等の沃素吸着剤とを備えた吸着装置３００を設けたものである。
【００３８】
吸湿装置２００は、前述した吸着装置１００と同様に吸湿剤を袋体に入れ、この袋体を容器内に収納することで構成される。また、吸着装置３００の構成を図５及び図６に示すが、これらの図において、図２及び図３の符号と同符号のものは同一部分である。  
図５及び図６において、吸着装置３００を構成する円筒体１０４内は、隔壁１０７によって２分割され、２室が形成されている。この一方の室内には、吸湿剤を入れた袋体３０１が、他方の室には、前述した図２及び図３に示した沃素吸着剤１０１を入れた袋体１０２が設けられている。また、吸湿剤と沃素吸着剤との粒径が大きく異なる場合には、それぞれ異なる容器に収納した方が、吸着面積が広がり、吸着効果を高めることができる。
【００３９】
この実施の形態によれば、前述した実施の形態と同様に、絶縁ガスとしてのＣＦ3Ｉガス又はＣＦ3Ｉ含有ガスの使用により、地球温暖化係数が小さく、アーク消弧性能及び電気絶縁性能が優れ、ＣＦ3Ｉガス又はＣＦ3Ｉ含有ガスからの沃素分解ガス及び水分の吸着により、通電性能も良好なガス絶縁開閉装置を提供することができる。
【００４０】
なお、ＣＦ3Ｉガス又はＣＦ3Ｉ含有ガスから分解した沃素、フッ素は、密閉容器中の水分との結合により、沃化水素ガス、フッ化水素ガスを生成することがあるが、これらのガスは、吸着装置１００の吸着剤１０１に吸着させることができるので、この場合にも、前述した実施の形態と同様な効果を得ることができる。
【００４１】
更に、上述の実施の形態においては、吸着剤１０１、吸湿剤の飛散及び回収の利便性を考慮して、吸着剤１０１、吸湿剤を袋体内に収納したが、袋体１０２を用いずに、吸着剤１０１、吸湿剤を、ベース１０３とこのベース１０３上の円筒体１０４とで形成される空間内に直接収めることも可能である。また、ベース１０３とこのベース１０３上の円筒体１０４とからなる保持用の容器を用いずに、吸着剤１０１を収納した袋体１０２、吸湿剤を収納した袋体３０１を、密閉容器内に設けることも可能である。
【００４２】
また、上述の実施の形態においては、遮断器ユニットにおける遮断器容器２１内に、真空密閉された形式の真空遮断器２２を設けたので、大電流遮断アークが生起する遮断器の電極がＣＦ3Ｉガス又はＣＦ3Ｉ含有ガスに触れることがないので、この密封容器内での沃素ガスの発生がなく、遮断器による遮断電流よりも小さい開閉時の小電流遮断アークが生起する断路器ユニットの密閉容器、接地装置を有する密閉容器内に、ＣＦ3Ｉガス又はＣＦ3Ｉ含有ガスをそれぞれ封入したので、ガス絶縁開閉装置全体としての沃素ガスを最小限に抑えることができる。
【００４３】
その結果、前述した実施の形態と同様に、地球温暖化係数が小さく、アーク消弧性能及び電気絶縁性能が優れ、ＣＦ3Ｉガス又はＣＦ3Ｉ含有ガスからの沃素分解ガス及び水分の吸着機能により、通電性能も良好なガス絶縁開閉装置を提供することができる。
【図面の簡単な説明】
【００４４】
【図１】本発明のガス絶縁電気機器であるキュービクル形のガス絶縁開閉装置の一実施の形態を示す縦断側面図である。
【図２】図１に示す本発明のガス絶縁電気機器であるキュービクル形のガス絶縁開閉装置の一実施の形態に設けた吸着装置を一部断面にて示す正面図である。
【図３】図２に示す吸着装置の平面図である。
【図４】本発明のガス絶縁電気機器であるキュービクル形のガス絶縁開閉装置の他の実施の形態を示す縦断側面図である。
【図５】図４に示す本発明のガス絶縁電気機器であるキュービクル形のガス絶縁開閉装置の一実施の形態に設けた吸着装置を一部断面にて示す正面図である。
【図６】図５に示す吸着装置の平面図である。
【符号の説明】
【００４５】
１        母線
２          遮断器
３          線路側ケーブル
４          母線側断路器
５          線路側断路器
２２        真空遮断器
１００      吸着装置
１０１      吸着剤
１０２      袋体
２００      吸湿装置
３００      吸着装置
【図１】
2007288820.tif 000003
【図２】
2007288820.tif 000004
【図３】
2007288820.tif 000005
【図４】
2007288820.tif 000006
【図５】
2007288820.tif 000007
【図６】
2007288820.tif 000008